(57)【要約】  高さ調整式出荷コンテナ建造物用コンクリート床スラブを形成するための予備形成型枠。予備形成型枠（１００）は、離間した側梁（１０２、１０４）と、離間した端梁（１０１、１０３）と、離間した側梁（１０２、１０４）の間に延在する、枠の中心から等間隔に配置されたフォーク持上支持体（１０６）とを有する枠を含む。補強材（１０７）は、枠の内部領域内に位置し、かつ、側梁および端梁（１０１、１０２、１０３、１０４）の内表面に取り付けられている。壁パネルの一部を収容して支持し、かつ端梁および側梁に取り付けるための、側梁および端梁の外表面上の壁受機構。柱（１０５）は、枠の角に係合され、支持されている。予備形成型枠を、建築部材を含む高さ調整式出荷コンテナ内に入れて簡単かつ容易に輸送することができ、コンクリートスラブに形成する前に、建造物の１階床または上階床のいずれかとして、簡単かつ容易に立てて組み立てることができるように、予備形成型枠は、標準的な出荷コンテナの床面積と等しくなるように寸法付けられている。【選択図】図５
2015510561.tif 000002
【特許請求の範囲】
【請求項１】
出荷コンテナの下縁部に周囲予備形成型枠を備え、かつ、組み立てられたコンテナの前記周囲予備形成型枠内に、注入可能硬化性床材料の補強材として働くように構成された格子状の補強要素を備えることによって、前記コンテナ内に床スラブを施工することを特徴とする方法。
【請求項２】
高さ調整式出荷コンテナ建造物用コンクリート床スラブを形成するための予備形成型枠において、前記予備形成型枠が枠を含み、前記枠が、
（ｉ）離間した側梁と、
（ｉｉ）離間した端梁と、
（ｉｉｉ）前記離間した側梁間に延在する、前記枠の中心から等間隔に配置されたフォーク持上支持手段と、
（ｉｖ）前記枠の内部領域内に位置し、かつ、前記側梁および前記端梁の内表面に取り付けられた補強手段と、
（ｖ）前記側梁および前記端梁の外表面上の壁受手段であって、壁パネルの一部を収容して支持し、かつ取り付けるように構成されている壁受手段と、
（ｖｉ）前記枠の角に位置する柱係合部分と
を有し、
前記予備形成型枠を、建築部材を含む高さ調整式出荷コンテナ内に入れて簡単かつ容易に輸送することができ、コンクリートスラブに形成する前に、建造物の１階床または上階床のいずれかとして、簡単かつ容易に立てて組み立てることができるように、前記予備形成型枠が、標準的な出荷コンテナの床面積と等しくなるように寸法付けられている
ことを特徴とする予備形成型枠。
【請求項３】
請求項２に記載の予備形成型枠において、前記フォーク持上支持手段が、前記予備形成型枠を輸送するためのフォークリフトのフォークを収容するために中空の圧縮板であることを特徴とする予備形成型枠。
【請求項４】
請求項３に記載の予備形成型枠において、前記中空圧縮板が、前記予備形成型枠が立てられているときのサービスダクト、および建造物の一部として働くように構成されていることを特徴とする予備形成型枠。
【請求項５】
請求項２に記載の予備形成型枠において、離間した根太が、前記側梁間に延在することを特徴とする予備形成型枠。
【請求項６】
請求項２乃至５の何れか１項に記載の予備形成型枠において、前記補強手段が、前記予備形成型枠の前記枠の上部領域内に位置する補強メッシュであることを特徴とする予備形成型枠。
【請求項７】
請求項６に記載の予備形成型枠において、前記補強手段が、前記側梁および前記端梁の前記内表面上の内部隆起部または内部突出部によって、適所に保持されていることを特徴とする予備形成型枠。
【請求項８】
請求項２乃至７の何れか１項に記載の予備形成型枠において、前記壁受手段が、前記側梁および前記端梁の前記外表面上の溝部、凹部、スロット、隆起部および突出部であることを特徴とする予備形成型枠。
【請求項９】
請求項２乃至７の何れか１項に記載の予備形成型枠において、前記予備形成型枠の内部が、注入可能硬化性材料を受けることができることを特徴とする予備形成型枠。
【請求項１０】
請求項９に記載の予備形成型枠において、前記注入可能硬化性材料が、セメントであることを特徴とする予備形成型枠。
【発明の詳細な説明】
【技術分野】
【０００１】
本発明は、高さ調整式出荷コンテナ建造物用コンクリート床スラブを形成するための予備形成型枠に関する。
【背景技術】
【０００２】
標準的な出荷コンテナを出荷する既存の方法に関する問題は、特にコンテナが何らかの形態の居住設備として使用されることになっている場合の、コンテナ内の全空間を占めない製品の高さおよび輸送コストにある。
【０００３】
そのような場合、コンテナの内部はほとんど空であることが多いが、コンテナ内の最終的な居住の高さが全高であるために、輸送コストが高い。
【０００４】
同様に、出荷コンテナの高さより大きい居住設備を提供しなければならない場合、唯一の現実的な選択肢は、居住設備を２つのコンテナとして提供することであり、１つは床がないものであり、それを互いの上に取り付けなければならない。
【０００５】
典型的には、木材床が、出荷コンテナ、または建造物として使用される他の可搬式構造物で現在使用されているが、木材床は湿気、虫害によって悪影響を受け得、かつ、あらゆる起こり得る洪水または水害を防ぐために地面からある高さのところで支持されなければならないなどの特定の状況での欠点を有するため、これは、国内の住宅事情または他の居住設備事情および／もしくは商業的事情における意図した目的には典型的に適さない。
【０００６】
また木材床は、床の状態および保守を確認するために外観検査を行うことができるよう、ある高さのところで支持される必要がある。
【０００７】
その上、木材床を使用する建造物は、強風および竜巻などの深刻な天候状況の間、浮き上がりやすい。
【０００８】
本明細書で引用されるあらゆる特許または特許出願を含む参照文献はすべて、参照によって本明細書に援用される。いかなる参照文献も先行技術を構成することは認められない。参考文献の記載は著者の主張を述べ、出願人は、引用文献の正確さおよび適切さについて異議を申し立てる権利を保有する。多くの先行技術刊行物が本明細書で引用され得るが、この参照によって、これらの文献のいずれも、ニュージーランド、またはいかなる他の国においても、本技術分野の共通した一般知識の一部を形成することは認められないことが、明らかに理解される。
【０００９】
本発明の目的は、公知の技術の欠点および限界のうちのいくつかを改善する、高さ調整式出荷コンテナ建造物用コンクリート床スラブを形成するための予備形成型枠を提供すること、または公衆に有用な選択肢を少なくとも提供することである。
【発明の概要】
【００１０】
第１の態様では、本発明は、出荷コンテナの下縁部に周囲トレイを備え、かつ、組み立てられたコンテナの周囲トレイ内に、注入可能硬化性床材料の補強材として働くように構成された格子状の補強要素を備えることによって、コンテナ内に床スラブを施工する方法に関する。
【００１１】
第２の態様では、本発明は、高さ調整式出荷コンテナ建造物用コンクリート床スラブを形成するための予備形成型枠であって、予備形成型枠が枠を含み、枠が、
（ｉ）離間した側梁と、
（ｉｉ）離間した端梁と、
（ｉｉｉ）離間した側梁間に延在する、枠の中心から等間隔に配置されたフォーク持上支持手段と、
（ｉｖ）枠の内部領域内に位置し、かつ、側梁および端梁の内表面に取り付けられた補強手段と、
（ｖ）側梁および端梁の外表面上の壁受手段において、壁パネルの一部を収容して支持し、かつ取り付けるように構成されている壁受手段と、
（ｖｉ）枠の角に位置する柱係合部分と
を有し、
予備形成型枠を、建築部材を含む高さ調整式出荷コンテナ内に入れて簡単かつ容易に輸送することができ、コンクリートスラブに形成する前に、建造物の１階床または上階床のいずれかとして、簡単かつ容易に立てて組み立てることができるように、予備形成型枠が、標準的な出荷コンテナの床面積と等しくなるように寸法付けられている、予備形成型枠に関する。
【００１２】
フォーク持上支持手段は、予備形成型枠を輸送するためのフォークリフトのフォークを収容するために中空の圧縮板であることが好ましい。
【００１３】
中空圧縮板は、予備形成型枠が立てられているときのサービスダクト、および建造物の一部として働くように構成されていることが好ましい。
【００１４】
離間した根太は、側梁間に延在することが好ましい。
【００１５】
補強手段は、予備形成型枠の枠の上部領域内に位置する補強メッシュであることが好ましい。
【００１６】
補強手段は、側梁および端梁の内表面上の内部隆起部または内部突出部によって、適所に保持されていることが好ましい。
【００１７】
壁受手段は、側梁および端梁の外表面上の溝部、凹部、スロット、隆起部および突出部であることが好ましい。
【００１８】
予備形成型枠の内部は、注入可能硬化性材料を受けることができることが好ましい。
【００１９】
注入可能硬化性材料は、セメントであることが好ましい。
【００２０】
本明細書では、任意の他の態様について説明する。
【００２１】
ここで本発明について、添付図面を参照しながら単なる例として説明する。
【図面の簡単な説明】
【００２２】
【図１】図１は、本発明の実施形態による高さ調整式出荷コンテナである。
【図２】図２は、拡張位置にある図１のコンテナである。
【図３】図３は、図１のコンテナの変形例である。
【図４】図４は、コンテナに適したプレハブ式床アセンブリである。
【図４Ａ】図４Ａは、２つの図４のプレハブ式床アセンブリの間にある接合部の詳細である。
【図５】図５は、本発明の好ましい実施形態による床スラブの斜視図である。
【図６】図６は、図５に示すような床スラブを利用する建造物の床の斜視図である。
【図７】図７は、図５に示すような床スラブを組み込む、立てられていない出荷コンテナの斜視図である。
【図８】図８は、共に連結された４つの床スラブの斜視図である。
【図９】図９は、本発明の代替の実施形態による床スラブの斜視図である。
【図１０】図１０は、本発明の別の実施形態による床スラブの斜視図である。
【図１１】図１１は、本発明のさらなる実施形態による床スラブの斜視図である。
【図１２】図１２は、床スラブのスタックの斜視図である。
【図１３】図１３は、本発明の床スラブを組み込む建造物の斜視図である。
【発明を実施するための形態】
【００２３】
以下の記載では、好ましい実施形態に関連した本発明、すなわち高さ調整式出荷コンテナ建造物用コンクリート床スラブを形成するための予備形成型枠について説明する。これらの好ましい実施形態は、単に本発明を例証するためだけのものであるため、本発明はこれらの好ましい実施形態に決して限定されず、その可能な変形形態および修正形態は、本発明の範囲から逸脱せず、容易に明らかであろう。
【００２４】
出荷コンテナから形成された建造物用のコンクリート床を設置することによって、質量が生じ、風および／または暴風で浮き上がらないように建物が固定されるであろう。
【００２５】
出荷コンテナ建造済建造物を緊急事態に病院として使用する場合、コンクリート床を使用することが望ましく、その理由は木材床はバクテリアおよび有害な細菌を寄生させるであろうためであり、この問題は、コンクリート床の場合、あまり問題とならない。
【００２６】
コンクリート床はまた、ガレージにも使用することができ、洗い流して除染してもよい。
【００２７】
コンクリート床スラブを形成するための予備形成型枠は、火事、嵐、および緊急時住居の速い建設に対応する品質を有するため、災害救援地域および高リスクビル地域に好適である。
【００２８】
吊下コンクリートスラブを形成してもよい。高層ビルは、完全に取り付けられたコンテナの上部にコンクリート床を含むことができ、吊下スラブの上に別のコンテナを立てて取り付けることができる。
【００２９】
中空柱および中空梁を組み込むことができ、それにコンクリートを充填して構造の一体性を高めたり、防火基準を達成させたりすることができる。
【００３０】
コンクリート床スラブを形成するための予備形成型枠により、コンクリートは設置後に現場で注入するため、輸送中の重量を低減し、コストを削減することができる。
【００３１】
予備形成型枠から製造されるコンクリートスラブの可能な用途は、不整地で曲がるためのより軽量な鋼を用いる床、傾斜スラブ、道路、車道である。
【００３２】
緊急救援状況および非永続的住居では、床スラブは、下部にトレイを固定し、次いで、上に砂または利用可能な材料を配置することができるであろう。次いで、使用が完了したときに、トレイを外して、コンテナを取り外すことができる。トレイは、補強メッシュの下にあり、コンテナ枠にボルト締めされるであろう。それによって、コンクリートを使用せずに、砂および岩などの材料を、コンクリートが入るであろう箇所に充填することができるであろう。これにより、建物に質量が与えられ、建物が吹き飛ばなくなるであろう。一旦緊急事態が過ぎれば、トレイのボルト締めを外し、トレイ上に砂および岩を置いたまま、建物を持ち上げて遠ざけることができるであろう。
【００３３】
中２階床を組み込むことができるため、木材床、および利用しやすい空調および配管排水などのサービス向けの空隙域が可能になる。
【００３４】
床を施工するには、コンクリートまたは別の硬化媒体を注入することができるように、補強鋼を予備形成型枠の内部に固定し、位置付けする。均一な高さである型板同士の間の距離は比較的小さいため、床施工の技能の必要性は低い。これにより、容易にコンクリートをレベリングすることができる。コンクリート用セメントもまた、コンテナの骨組み内に入れて輸送することができる。コンクリートはまた、病院での使用に不可欠である除染および洗浄を容易に行うことができる床を提供するであろう。
【００３５】
図１は、高さ調整式出荷コンテナ１を示し、垂直コーナーレールが、各端部にあるトラック輸送持上点２まで延在する。外部の垂直壁は、切れ目５まで延在し、部分端部パネル３と、部分側面パネル４と、上部パネルおよび上部側面部分パネル６とを形成する。
【００３６】
図２は、拡張形態の図１のコンテナを示し、伸縮レール７が拡張しており、元はパネル３の後ろにあったパネル１１が適所へ引き上げられており、窓９と共に元はコンテナの内部に詰められていた窓８が、拡張によって形成された隙間に配置されている。他のパネル、または、ドア、ローラードア、換気機、テーブルなどのコンテナ内に詰められていてもよい装備品を、拡張したコンテナに取り付けることができる。さらに、照明備品または配管備品などの他のものを発送前にコンテナに永久的に取り付けてもよい。
【００３７】
図３は、先の尖った傾斜した屋根１２の一部を形成する傾斜した上部と、端部パネル１３とを備えたコンテナ１１を示す。切れ目５は、ずれており、各切れ目で異なるパネル備品を備えている。典型的には、コンテナ内に必要な、いかなるサービス（配管、電気）も接合線に隣接して配置され、設置中に容易にサービスおよび試験を行うことができる。図４は、拡張形態の伸縮柱の図を示す。トラック輸送または持上げのための係合機構７３を備えた下部７１は、部分７１上を滑り落ちるキャップ７２を有する。滑り落ちると、係合機構７４が係合機構７３と一直線に並び、ぎっしり詰まったコンテナを持ち上げることができる。
【００３８】
ぎっしり詰まったコンテナが依然として標準的な出荷コンテナの寸法に準拠することが重要であり、これは場合によっては、図３のように、コンテナ建物の構造における一部の上に、折り畳んだ伸縮ポールがさらに立つことを意味する。
【００３９】
図４は、静止状態であることが意図されるコンテナと共に使用するための床パン５０の図を示す。床パン５０は、縁構造５１および補強バー５２からなり、最終現場でパンに、コンクリートまたは何らかの他の硬化性注入可能材料を注入し、コンテナ内に補強コンクリートパッドを作ることができる。
【００４０】
図４Ａは、縁レール６１、６２が隣接してコンクリートパッド６０が連続的になるように、当接し、共に固定されたコンテナの中に補強材６３を通す方法を示す。
【００４１】
図５は、輸送しやすく、高さ調整式出荷コンテナから建造物を組み立てるときに現場で利用しやすい予備形成床スラブ１００の好ましい実施形態を示す。予備形成床スラブ１００は、側梁１０２、１０４、および端梁１０１、１０３を含む枠からなる。個々に、または、高さ調整式出荷コンテナ（図７参照）内の建築部材の一部もしくは床スラブのスタック（図１２参照）の一部のいずれかの場合において、床スラブ１００を輸送するためのフォークリフトのフォークを収容する中空１０５のフォーク持上支持圧縮板１０６が、床枠の中央から等間隔に位置する。床スラブは、側梁１０２、１０４の間にある離間した根太（図示せず）を含むことができる。床スラブ１００は、床スラブの上部領域内に位置し、床根太、ならびに／または側梁および端梁１０１、１０２、１０３、１０４の内表面上の内部隆起部／突出部上によって適所に保持されている補強メッシュ１０７を含む。また、高さ調整式柱２００の端部を収容して支持するように構成され、寸法付けられた床スラブの角。一旦床スラブが建造物内に立てられると、支持圧縮板１０６の内部１０５は、サービスダクトとして使用することができる。本発明の床スラブは、１階床の場所（図６）に、または上階床（図１３）として使用することができ、複数の床スラブを並べて接合して床面積を増大させることができる（図６、図８、図１３）。図８の図は、車道の基礎としての代替用途を示す。
【００４２】
床スラブ１００は、高さ調整式出荷コンテナ（図７参照）内の建築部材の一部または床スラブのスタック（図１２参照）として、特定の現場に輸送される。一旦現場において、床が所望の場所に位置し、一旦建造物の骨組みが形成されると（図６、図１２）、セメントなどの注入可能硬化性媒体が注入され（または、これは、建造物の他の部分を立てる前に行うことができる）、コンクリート床が形成される。中空である柱もまた、その中にセメントを注入させるため、剛直で構造的に健全な構造が形成される。均一な高さである型板同士の間の距離は比較的小さいため、床施工の技能の必要性は低い。これにより、容易にコンクリートをレベリングすることができる。コンクリート用セメントもまた、折り畳んだコンテナの骨組み内に入れて輸送することができる。コンクリートはまた、病院での使用に不可欠である除染および洗浄を容易に行うことができる床を提供するであろう。
【００４３】
図６は、各スラブ１００の角に位置付けされ、取り付けられた柱２００で共に接合された２つの床スラブ１００からなる建造物を示す。
【００４４】
図７は、２つの標準的な出荷コンテナの床面積の２倍と等しい床面積を有する建造物を形成するための、２つの床スラブ１００を含む建築部材を含む高さ調整式コンテナを示す。
【００４５】
図８は、建造物または車道に適した床４００を形成する、並んで共に接合された４つの床スラブ１００を示す。
【００４６】
図９は、側梁５０２、５０４、および端梁５０１、５０３を含む床スラブ５００を示す。床スラブ５００は、床スラブの上部領域内に位置し、床根太、ならびに／または側梁および端梁５０１、５０２、５０３、５０４の内表面上の内部隆起部／突出部上によって適所に保持されている補強メッシュ５０５を含む。側梁および端梁５０１、５０２、５０３、５０４の外表面は、建物の壁パネルを収容し、支持するための壁受凹部を有する。
【００４７】
図１０は、側梁６０２、６０４、および端梁６０１、６０３を含む床スラブ６００を示す。床スラブ６００は、床スラブの上部領域内に位置し、床根太、ならびに／または側梁および端梁６０１、６０２、６０３、６０４の内表面上の内部隆起部／突出部上によって適所に保持されている補強メッシュ６０５を含む。側梁および端梁６０１、６０２、６０３、６０４の外表面は、建物の壁パネルを収容し、支持するための壁受溝部／レッジ６０６を有する。
【００４８】
図１１は、側梁７０２、７０４、および端梁７０１、７０３を含む床スラブ７００を示す。床スラブ７００は、床スラブの上部領域内に位置し、床根太、ならびに／または側梁および端梁７０１、７０２、７０３、７０４の内表面上の内部隆起部／突出部上によって適所に保持されている補強メッシュ７０５を含む。側梁および端梁７０１、７０２、７０３、７０４の外表面は、建物の壁パネルを収容し、支持するのを助けるために角度が付いている。
【００４９】
図１２は、出荷および輸送の準備が整っている、角に、高さ調整式柱８０５を備えた床スラブ８０１、８０２、８０３のスタック８００を示す。
【００５０】
図１３は、拡張した柱９０５によって支持された１階床スラブ９０１、および上階床スラブ９０２、９０３からなる、複数階建造物９００の骨組みを示す。上階床スラブは通常、建物の内部に設置されず、建物の上方および外側に設置されるため、内部が完成した建物の骨組みに損傷をもたらさない。予備形成型枠の他の用途には、傾斜スラブ、車道および道路の形成があり得る。
【００５１】
利点
ａ）設置がより速く、簡単
ｂ）高層ビルで使用可能
ｃ）ユニットの上方に設置可能で、損傷の可能性を排除
ｄ）非常に堅牢で速い建設
ｅ）現場での作業および材料の取扱いを軽減
ｆ）耐火性があり、構造用
ｇ）鋼とコンクリートとの組合せによる耐震性の支援
【００５２】
変形形態
先述のものは、本発明の例示的実施例として挙げているが、そのようなものすべて、および、当業者にとって明らかであろうそれらへの他の修正形態および変形形態は、本明細書で先に説明しているような本発明の広い範囲内および領域内にあると考えられることが、言うまでもなく理解される。
【図１】
2015510561.tif 000003
【図２】
2015510561.tif 000004
【図３】
2015510561.tif 000005
【図４】
2015510561.tif 000006
【図４Ａ】
2015510561.tif 000007
【図５】
2015510561.tif 000008
【図６】
2015510561.tif 000009
【図７】
2015510561.tif 000010
【図８】
2015510561.tif 000011
【図９】
2015510561.tif 000012
【図１０】
2015510561.tif 000013
【図１１】
2015510561.tif 000014
【図１２】
2015510561.tif 000015
【図１３】
2015510561.tif 000016
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
出荷コンテナの下縁部に周囲予備形成型枠を備え、かつ、組み立てられたコンテナの前記周囲予備形成型枠内に、前記予備形成型枠の前記枠内に位置するように構成され、注入可能硬化性床材料の補強材として働くように構成されている補強メッシュの形態である格子状の補強要素を備えることによって、前記コンテナ内に床スラブを施工することを特徴とする方法。
【請求項２】
高さ調整式出荷コンテナ建造物用コンクリート床スラブを形成するための予備形成型枠において、前記予備形成型枠が枠を含み、前記枠が、
（ｉ）離間した側梁と、
（ｉｉ）離間した端梁と、
（ｉｉｉ）前記枠の内部領域内に位置し、かつ、前記側梁および前記端梁の内表面に取り付けられた補強手段であって、前記予備形成型枠の前記枠内に位置するように構成されている補強メッシュを含む補強手段と、
（ｉｖ）前記側梁および前記端梁の外表面上の壁受手段であって、壁パネルの一部を収容して支持し、かつ取り付けるように構成されている壁受手段と、
（ｖ）前記枠の角に位置する柱係合部分と
を有し、
前記予備形成型枠を、建築部材を含む高さ調整式出荷コンテナ内に入れて簡単かつ容易に輸送することができ、コンクリートスラブに形成する前に、建造物の１階床または上階床のいずれかとして、簡単かつ容易に立てて組み立てることができるように、前記予備形成型枠が、標準的な出荷コンテナの床面積と等しくなるように寸法付けられている
ことを特徴とする予備形成型枠。
【請求項３】
請求項２に記載の予備形成型枠において、前記予備形成型枠が、前記離間した側梁間に延在する、前記枠の中心から等間隔に配置されているフォーク持上支持手段を含むことを特徴とする予備形成型枠。
【請求項４】
請求項３に記載の予備形成型枠において、前記フォーク持上支持手段が、前記予備形成型枠を輸送するためのフォークリフトのフォークを収容するために中空の圧縮板であることを特徴とする予備形成型枠。
【請求項５】
請求項４に記載の予備形成型枠において、前記中空圧縮板が、前記予備形成型枠が立てられているときのサービスダクト、および建造物の一部として働くように構成されていることを特徴とする予備形成型枠。
【請求項６】
請求項２に記載の予備形成型枠において、離間した根太が、前記側梁間に延在することを特徴とする予備形成型枠。
【請求項７】
請求項２乃至６の何れか１項に記載の予備形成型枠において、前記補強メッシュが、前記予備形成型枠の前記枠の上部領域内に位置することを特徴とする予備形成型枠。
【請求項８】
請求項７に記載の予備形成型枠において、前記補強手段が、前記側梁および前記端梁の前記内表面上の内部隆起部または内部突出部によって、適所に保持されていることを特徴とする予備形成型枠。
【請求項９】
請求項２乃至８の何れか１項に記載の予備形成型枠において、前記壁受手段が、前記側梁および前記端梁の前記外表面上の溝部、凹部、スロット、隆起部および突出部であることを特徴とする予備形成型枠。
【請求項１０】
請求項２乃至８の何れか１項に記載の予備形成型枠において、前記予備形成型枠の内部が、注入可能硬化性材料を受けることができることを特徴とする予備形成型枠。
【請求項１１】
請求項１０に記載の予備形成型枠において、前記注入可能硬化性材料が、セメントであることを特徴とする予備形成型枠。
【国際調査報告】
2015510561.tif 000017
2015510561.tif 000018
2015510561.tif 000019
2015510561.tif 000020